(57)【要約】【課題】映像表示スクリーンの表示解像度の違いを吸収し、映像制御範囲に無駄の無い、経済的な映像表示コントローラを備えた映像表示システムを提供する。【解決手段】複数の映像表示モジュール８で構成される映像表示スクリーン８０を含む映像表示部と、入力される映像信号に対して所望の映像処理を施して映像表示部へ映像信号を送出する映像表示コントローラ４からなる映像表示システムであって、映像表示コントローラ４は、映像表示スクリーン８０を構成する映像表示モジュール８の解像度に応じて、入力される映像信号の映像制御範囲を変化させ、映像表示部は、映像表示コントローラ４から送出される映像信号の映像制御範囲の変化に追従し、映像表示スクリーン８０を構成する複数の映像表示モジュール８に対応させて受信した映像信号を分配する映像信号分部５を有している。【選択図】図１
2008298858.tif 000002
【特許請求の範囲】
【請求項１】
多数の発光表示素子が画素として配列された複数の映像表示モジュールで構成される映像表示スクリーンを含む映像表示部と、映像ソース機器から入力される映像信号に対して所望の映像処理を施して前記映像表示部へ映像信号を送出する映像表示コントローラからなる映像表示システムであって、
前記映像表示コントローラは、前記映像表示スクリーンを構成する映像表示モジュールの解像度に応じて、入力される前記映像信号の映像制御範囲を変化させる機能を有し、
前記映像表示部は、前記映像表示コントローラから送出される映像信号の前記映像制御範囲の変化に追従し、前記映像表示スクリーンを構成する複数の映像表示モジュールに対応させて前記受信した映像信号を分配する映像信号分配機能を有していることを特徴とる映像表示システム。
【請求項２】
前記映像表示スクリーンの解像度が、前記映像表示コントローラによる映像制御範囲を超える場合には、複数台の前記映像表示コントローラを連結させて使用することを特徴とする請求項１に記載の映像表示システム。
【請求項３】
複数台の映像表示コントローラへ入力される映像信号の映像取込開始点の設定を自動的に計算によって行うことを特徴とする請求項２に記載の映像表示システム。
【請求項４】
多数の発光表示素子が画素として配列された複数の映像表示モジュールで構成される映像表示スクリーンを含む映像表示部と、映像ソース機器から入力される映像信号に対して所望の映像処理を施して前記映像表示部へ映像信号を送出する映像表示コントローラからなる映像表示システムの映像表示方法であって、
前記映像表示スクリーンを構成する映像表示モジュールの解像度に応じて、入力される前記映像信号の映像制御範囲を変化させるステップと、
前記映像表示コントローラから送出される映像信号の前記映像制御範囲の変化に追従し、前記映像表示スクリーンを構成する複数の映像表示モジュールに対応させて前記受信した映像信号を分配するステップとを有したことを特徴とる映像表示方法。
【発明の詳細な説明】
【技術分野】
【０００１】
この発明は、外部の映像送出機器から入力される各種映像ソースに対して各種映像効果や機能処理を施して、複数の発光表示素子が画素として多数一面に配列された大型の映像表示スクリーンへ表示する映像表示システムおよび映像表示方法に関するものである。
【背景技術】
【０００２】
図１１は、特開２０００−２８４７６１号公報（特許文献１）に記載されている従来の映像表示装置の制御回路の構成を示すブロック図である。
図に示すように、特許文献１に示された従来の映像表示装置は、データイネーブル入力信号２０７の有効データ期間にわたって水平周期毎、垂直周期毎に各々クロック信号をカウントする水平クロックカウンタ２１２および垂直クロックカンウンタ２１３と、そのカントした値を保持する水平クロックカウントメモリ２１４および垂直クロックカウントメモリ２１５と、次の水平周期または垂直周期に対して、前回の保持したカウント値を利用して、そのときの表示装置の解像度に合ったドライバＩＣや駆動回路における入力信号を生成する入力信号生成部２１６を備えて、様々な解像度の表示装置で使用可能なドライバＩＣや駆動回路に適用できるようにしている。
なお、データイネーブル入力信号とは、時間軸に対して映像データ入力信号における有効データ期間示す信号である。
【０００３】
また、図１２は、特開２００１−１２５５３１号公報（特許文献２）に記載されている他の従来の映像表示装置の構成を示すブロック図である。
図に示すように、特許文献２に示された従来の映像表示装置では、映像表示手段１００で、水平解像度ｍ、垂直解像度ｎの映像を表示し、映像信号入力手段１１０で、水平解像度Ｍ、垂直解像度Ｎ（少なくともＮ＞ｎかＭ＞ｍの一方または両方を満たす）の映像信号を映像表示手段１００に入力し、同期信号入力手段１２０で、映像表示手段１００に表示する映像の同期信号を入力し、映像表示制御情報入力手段１３０で、上記表示映像の表示制御情報を入力し、映像表示制御手段１４０で、上記同期信号および情報に応じて、垂直解像度Ｎの映像信号の中から表示対象の垂直解像度ｎの部分の指定信号を発生し、また、上記同期信号および情報に応じて、水平解像度Ｍの映像信号の中から表示対象の水平解像度ｍの部分の指定信号を発生して映像表示手段１００へ出力する。
これにより、特許文献２に示された映像表示装置では、映像生成手段が発生する映像の解像度が様々に変化しても表示手段への表示を可能とし、更に解像度が様々に異なるような表示手段に対しても映像生成手段の変更無しで対応可能としている。
【特許文献１】特開２０００−２８４７６１号公報（図１、要約）
【特許文献２】特開２００１−１２５５３１号公報（図１、要約）
【発明の開示】
【発明が解決しようとする課題】
【０００４】
前述した従来の映像表示装置は、例えば液晶表示装置等の中型あるいは小型の映像表示装置の駆動システムを目的としたものであって、映像表示部（ディスプレー）が表示映像制御回路（映像表示コントローラ）の近傍に配置されている。
そのため、映像信号の処理スピードの制限に縛られることはなく、映像表示部は、映像ソース（即ち、映像ソース機器から出力する映像信号）と同等の解像度の制御が可能であり、映像表示部の解像度は映像ソースの解像度以下であれば、その制限は無い。
【０００５】
しかしながら、大型の映像表示装置においては、映像表示コントローラと映像表示部である映像表示スクリーンとの間の距離は最大で数百メートルとなる場合もある。
従って、この間の映像データがパラレル伝送であると、制御線が増えて太く嵩張って、コスト大となる問題が生じる。
そのため、同軸ケーブルや光ケーブルによるシリアル伝送で映像データの伝送を実施しているが、シリアル伝送であるため、映像表示コントローラからの映像データの伝送制御範囲を大きくすることができないという制限が発生する。
更に、従来の映像表示装置は、映像表示部の解像度が変化しても、変化した映像の解像度が映像ソースの解像度内であれば、柔軟に表示装置解像度の変化に追従することを可能としている。
【０００６】
しかしながら、大型の映像表示装置においては、基本単位となる約数メートルの表示モジュールのブロックを積み重ねて、数十メートル、数百メートル単位の映像表示スクリーンを構成していく。
大型映像表示装置は、パネルを複数枚敷き詰めたモジュールという単位で構成するために、表示モジュールの最小ブロックの解像度単位は、例えば、６４ピクセル（ｐｉｘｅｌ）や１２８ピクセルといったように、きめ細かくないという制限も存在する。
【０００７】
大型の映像表示装置に特有な、「映像制御コントローラ側に起因する映像制御範囲の制限」と「映像表示スクリーン側に起因する表示モジュール解像度の制限」という２つの特有な制限要素を考慮した上で、表示モジュールのブロックを積み重ねて構成される多様な映像表示スクリーンの解像度に対応するために、映像表示コントローラの映像制御範囲を可変とし、無駄となる映像表示コントローラの制御領域を無くし、経済的な映像表示制御システムを確立することが必要となる。
【０００８】
従来では、表示解像度の違う個別映像表示スクリーン向けの映像制御コントローラの開発を逐一行う必要があり、開発工期や開発コスト、管理等のコストアップの問題が生じていた。
また、極端な例であるが、表示モジュールを横方向や縦方向のみに一列に接続し、超横長映像表示スクリーンや超縦長映像表示スクリーンを構成する場合、映像ソースの解像度を越えた解像度の映像表示スクリーンとなり、従来の映像表示装置の制御方法によれば、複数の表示装置（例えば、超横長映像表示スクリーンおよび超縦長映像表示スクリーン）にそれぞれ対応する複数の制御システムを必要とするという問題点がある。
【０００９】
大型映像表示装置の映像表示スクリーンには多様な解像度仕様を要求されており、例えば、ビル壁面に取り付けられている縦型メッセージボード、野球場、公営競技場におけるビデオ映像表示ボード、米国プロバスケットボール場等の客席を１周回して設置、表示を行う超横長メッセージボード、さらに、各種イベント等における大型映像表示装置のレンタルにおいては、スクリーン解像度サイズがイベント毎に異なる仕様となっている。
【００１０】
この発明は上記のような課題を解決するためになされたものであり、大型映像表示装置の映像表示コントローラの映像制御範囲を可変化し、多様な表示解像度を有する映像表示スクリーンの表示解像度の違いを吸収させ、映像制御範囲に無駄の無い経済的な映像表示コントローラを配置させることが可能な映像表示システムおよび映像表示方法を提供することを目的とする。
【課題を解決するための手段】
【００１１】
この発明に係る映像表示システムは、多数の発光表示素子が画素として配列された複数の映像表示モジュールで構成される映像表示スクリーンを含む映像表示部と、映像ソース機器から入力される映像信号に対して所望の映像処理を施して前記映像表示部へ映像信号を送出する映像表示コントローラからなる映像表示システムであって、
前記映像表示コントローラは、前記映像表示スクリーンを構成する映像表示モジュールの解像度に応じて、入力される前記映像信号の映像制御範囲を変化させる機能を有し、前記映像表示部は、前記映像表示コントローラから送出される映像信号の前記映像制御範囲の変化に追従し、前記映像表示スクリーンを構成する複数の映像表示モジュールに対応させて前記受信した映像信号を分配する映像信号分配機能を有しているものである。
【００１２】
また、この発明に係る映像表示方法は、多数の発光表示素子が画素として配列された複数の映像表示モジュールで構成される映像表示スクリーンを含む映像表示部と、映像ソース機器から入力される映像信号に対して所望の映像処理を施して前記映像表示部へ映像信号を送出する映像表示コントローラからなる映像表示システムの映像表示方法であって、
前記映像表示スクリーンを構成する映像表示モジュールの解像度に応じて、入力される前記映像信号の映像制御範囲を変化させるステップと、前記映像表示コントローラから送出される映像信号の前記映像制御範囲の変化に追従し、前記映像表示スクリーンを構成する複数の映像表示モジュールに対応させて前記受信した映像信号を分配するステップとを有したものである。
【発明の効果】
【００１３】
この発明によれば、映像表示スクリーンの多様な表示解像度の違いや表示モジュールの解像度単位の違いを吸収して、映像表示コントローラの映像制御範囲に無駄の無い経済的な映像表示コントローラの配置が可能となり、コスト低減が図れるという効果がある。
さらに、映像制御範囲を可変化しない場合に発生する表示解像度の違う個別映像表示スクリーン向けの開発を逐一行う必要が無くなるという効果がある。
また、映像ソースの解像度を越える映像表示スクリーンの制御では、映像表示コントローラを無駄なく使用して実施することを可能とする効果がある。
【発明を実施するための最良の形態】
【００１４】
以下、図面に基づいて、本発明の実施の形態例について説明する。
実施の形態１．
図１は、実施の形態１による映像表示システムの全体構成を概念的に示す図である。
図１において、映像表示システムは、大きくは操作室側１と映像表示スクリーン側２とに区分される。
操作室側１と映像表示スクリーン側２との間の距離は、一般的には長距離となることが多く、例えば、公営競技上や野球場などの大規模な競技場においては１００〜２００メートルもあり、操作室側１と映像表示スクリーン側２との間の距離は最大で数百メートルとなり、長距離伝送に対応する構成となっている。
【００１５】
操作室側１における映像ソース機器３ａや映像ソース機器３ｂは、それぞれ映像データを送出する機器であって、例えば、コンピュータやビデオ機器である。
これら機器からの映像信号（即ち、映像ソース）は、ＤＶＩ(Digital Visual Interface)映像データやビデオ映像データであり、映像表示コントローラ４へ入力される。
映像表示コントローラ４では、入力されたＤＶＩ映像データやビデオ映像データに対し、各種映像処理機能を施して、最大で数百メートルの距離を隔てた映像表示スクリーン側へ映像データを伝送する。
なお、映像表示システムの用途に応じて、映像ソース機器３ａあるいは映像ソース機器３ｂなどのいずれか１つの映像ソース機器が選択されて操作室側１に配置されている。
操作室側１と映像表示スクリーン側２との間の映像データ伝送は、長距離伝送、かつ、伝送容量が大きく、伝送スピードが速くなるため、操作室側１と映像表示スクリーン側２の間のインターフェースは、長距離伝送規格プロトコルを用い、同軸ケーブル、光ファイバケーブル等を使用している。
【００１６】
操作室側１から映像表示スクリーン側２に伝送する映像データは、データ容量が大きく
、また、データ伝送スピードが速くなる。
そのため、映像表示スクリーン側２に高速大容量の映像データを一旦バッファするための映像信号分配部５を配置し、映像信号分配部５で受信した映像データの伝送スピードを低下させた後に分配し、複数の映像表示パネル７を実装した映像表示モジュール8へ映像
データを出力する。
なお、映像表示パネルとは、Ｒ、Ｇ、各色に対応する発光体である発光表示素子を、縦３２ライン、横３２ドット実装したものであり、映像表示スクリーン８０を組み立てる際に基本となる物理的な単位である。
図１に示すように、映像表示スクリーン８０を構成する各映像表示モジュール8は、更
に多数の映像表示パネル７で構成されている。
【００１７】
映像表示コントローラ４と映像表示スクリーン８０間の映像信号伝送スピードの計算例を示す。
映像表示コントローラ４の映像制御範囲が、横２５６×縦２５６ピクセルで、１フレーム周波数を６０Ｈｚとした場合、伝送スピードは、
６０Ｈｚ×横２５６ピクセル×縦２５６ピクセル×３（ＲＧＢ）×１０ビット
≒１２０ＭＨｚ
であり、高速伝送が必要である。
【００１８】
次に動作について説明する。
図２は、実施の形態１における映像表示コントローラの映像取込事例１を説明するための図である。
図２は、映像表示コントローラ４の映像制御範囲を可変化し、映像表示スクリーン８０に対し、制御を最適化しない場合における映像の取込事例を示しており、映像ソース機器からの映像信号を映像表示コントローラ４が取込む際に映像表示コントローラ４に無駄な制御領域が生じてしまう動作を示している。
例えば、映像ソース１０の解像度がＸＧＡ（Extended Graphics Array）規格サイズの
横１０２４×縦７６８ピクセル、映像表示コントローラの映像制御領域１１が横２５６×縦２５６ピクセルの条件で、映像表示スクリーンの映像制御領域１２（即ち、映像表示スクリーンの解像度）が横１０２４×縦６４ピクセルである場合、映像表示スクリーン全てで映像表示を行うためには映像表示コントローラ１台では不足で、４台の映像表示コントローラが必要となる。
この時、映像表示コントローラの映像制御領域１１には、映像表示スクリーンの映像制御領域１２で表示されない無駄となる映像制御領域１３が生じ、映像表示コントローラ４の映像制御領域１１の映像制御コストパフォーマンスが悪化する。
【００１９】
これに対して、図３は、実施の形態１における映像表示コントローラの映像取込事例２を説明するための図であり、映像表示コントローラの映像制御範囲を可変化し、映像表示スクリーンに対し、制御を最適化した場合における映像の取込事例を示しており、無駄な映像制御領域が生じていない動作を示している。
例えば、映像表示スクリーンの映像制御領域１４が横１０２４×縦６４ピクセルである場合、映像表示コントローラの映像制御領域１５を映像表示スクリーンの映像制御領域１４の解像度と同様もしくは、これを覆う映像制御範囲へ変更することで、映像制御コントローラ１台で映像表示スクリーンを運用する（即ち、映像制御コントローラ１台で映像表示スクリーンの全てで映像を表示する）ことが可能となる。
つまり、映像表示コントローラ４台から映像表示コントローラ１台へと、映像表示コントローラの使用数の削減を可能とする。
更に、映像制御コントローラの無駄となる映像制御領域も同時に削減することが可能となり、映像表示コントローラ４の映像制御のコストパフォーマンスアップとなる。
【００２０】
図４は、映像表示コントローラ４の映像制御範囲の可変制御例を示している。
ここでは、映像ソース１０の解像度をパーソナルコンピュータのＸＧＡベースの解像度である横１０２４×７６８ピクセルとし、様々な映像表示コントローラの可変制御を実現する。
図４では、超横長モードの解像度（１０２４×縦６４ピクセル）から超縦長モードの解像度（横６４×縦７６８ピクセル）までの数例のモードを示している。
前記までは、映像表示コントローラ単体における可変制御について説明したが、映像データ受け側の映像表示スクリーン側２においては、上位となる映像表示コントローラ４の可変制御への追従機能が必須となる。
さらに、映像表示スクリーン８０を組み立てるブロック単位となる映像表示モジュール８の解像度の違いによって、映像信号分配部５から分配する映像信号の解像度を可変する必要がある。
一般的に、映像表示モジュール８はビット計算で制御を行うため、８の倍数での制御が主流であり、映像表示モジュール８の解像度も３２、６４、１２８ピクセル等で単位を決めている。
【００２１】
次に、映像表示コントローラ４で変化する映像制御情報を受信して追従するための「映像表示スクリーン側２での制御」について図５を用いて記述する。
図５は、映像表示スクリーンにおける映像分配事例を示している。
例えば、映像表示コントローラ４の映像制御範囲が、縦１２８ピクセル、横５１２ピクセル、かつ、映像表示コントローラ４からの映像信号を映像信号分配部５で４分配する場合、映像表示コントローラ４の映像制御範囲が同じであるにも関わらず、図５に示すように３通り（例１〜例３）の分配が可能となる。
【００２２】
ここで、例えば、映像表示モジュールの解像度の横方向サイズが２５６ピクセルである場合を考える。
例１では分配の横制御幅が１２８ピクセルと小さく、１２８〜２５６ピクセル分の映像領域を表示するための表示モジュールが存在しないので、映像表示コントローラ４からの映像データの分配伝送は不可能である。
しかし、例２では横制御幅が２５６ピクセル、例３では横制御幅が５１２ピクセルであるので、映像表示コントローラ４からの映像データの分配伝送は可能である。
映像表示モジュールの横方向解像度に対し、分配例２では映像信号分配部５の映像分配横制御範囲は１対１（２５６ピクセル対２５６ピクセル）であり、制御に対する表示解像度が同じとなり、分配例３では映像分配横制御領域は１対２（２５６ピクセル対５１２ピクセル）となり、映像制御領域に対し、複数のモジュールを接続制御することで、映像分配部の横制御範囲の映像表示が可能となる。
例２あるいは例３の選択は、縦方向の客先仕様により最もコストパフォーマンスに優れるものを選択することとなる。
【００２３】
前記では表示モジュールの解像度の横方向サイズが２５６ピクセルであったが、例えば、１２８ピクセル、６４ピクセル等の様に多様に存在し、この場合も、映像分配部の横制御の解像度との関係と、客先仕様により最もコストパフォーマンスに優れるも場合を選択することとなる。
【００２４】
このように、映像データの受け側である映像表示スクリーン側２においては、映像表示コントローラ４の映像制御範囲の変化に追従することが可能となる。
従って、映像表示スクリーン８０を組み立てる際のブロック単位となる表示モジュール８の解像度の違いに対応させて、映像信号分配部５で分配される映像信号の解像度を変化させ、無駄なく、最適に映像信号を映像表示スクリーンへ表示できるように映像制御を行うことができる。
【００２５】
次に、映像表示スクリーン８０の映像制御範囲（解像度）が映像ソース１０の解像度を越える場合の事例について説明する。
超横長の映像表示スクリーンや超縦長の映像表示スクリーンを構成する場合、映像ソースの解像度を越えた解像度の映像表示スクリーンとなり、従来の表示装置の制御手法によれば、複数の表示装置を制御する制御システムを必要とする。
図６は、映像信号分配部による映像分配事例を示している。
図６（ａ）の例（例４）では、映像表示コントローラ４の取込サイズは、横１０２４ピクセル縦６４ピクセルであるが、映像表示スクリーン側での映像分配を横と縦各々の中間点で分割することで、１分配が横５１２ピクセルとなる。
映像表示スクリーン上には物理的のこの４分配したものを、分配１、２、３、４と横方向に接続することで、横２０４８×縦３２ピクセルの解像度を持つ映像表示スクリーンの表示を可能とする。
但し、映像ソース側では、分配２の終点部分と分配３の開始点部分は映像コンテンツとしては接続された作りとする必要がある。
【００２６】
図６（ｂ）の例（例４）でも、同様に、映像表示コントローラの取込サイズは横１０２４ピクセル縦６４ピクセルであるが、映像表示スクリーン側での映像分配を縦方向に等分割することで、１分配が横１０２４ピクセルとなる。
映像表示スクリーン上には物理的のこの４分配したものを、分配１、２、３、４と横方向に接続することで、横４０９６×縦１６ピクセルの解像度を持つ映像表示スクリーンの表示を可能とする。
但し、映像ソース側では分配１の終点部分と分配２の開始点部分、分配２の終点部分と分配３の開始点部分、分配３の終点部分と分配４の開始点部分、は映像コンテンツとしては接続された作りとする必要がある。
このように、受け側の映像表示スクリーン側において、信号分配部５の分配制御範囲を変化させることにより、ソース解像度を越えた解像度を持つ超横長の映像表示スクリーンや超縦長の映像表示スクリーンを構成において、映像表示コントローラの数量を増やすことなく、最適にした制御運用を可能とする。
【００２７】
次に、映像表示コントローラの映像制御範囲の可変制御を実施するに当たっての、映像表示コントローラのパラメータ設定方法例について説明する。
設定パラメータは４種類とし、映像表示コントローラの横方向（水平方向）の映像表示コントローラ取込Ｘ制御幅（以下、取込X幅）と、縦方向（垂直方向）の映像表示コント
ローラ取込Ｙ制御幅（以下、取込Y幅）を準備する。
また、映像表示スクリーン側の分配サイズについては横方向（水平方向）の映像表示スクリーン分配Ｘ制御幅（以下、分配X幅）と、縦方向（垂直方向）の映像表示スクリーン
分配Ｙ制御幅（以下、分配Ｙ幅）を準備する。
【００２８】
映像データ上で、水平映像方向の映像表示コントローラ取込開始点（以下開始X点）か
らの取込Ｘ幅制御分の映像データの取込を行い、水平方向の映像取込分のみを映像表示コントローラ内部の映像蓄積メモリへ一時的に格納を行う。
垂直映像方向についても同様に、垂直映像方向の映像表示コントローラ取込開始点（以下開始Y点）から取込Ｙ幅制御分の映像データの取込を行い、ビデオ蓄積メモリへ一時的
に格納を行う。
この映像表示コントローラの取込Ｘ幅と取込Ｙ幅のパラメータを変更することで、可変制御される映像データの取込を行う。
映像表示スクリーン側２では、映像信号分配部５において、映像表示コントローラ４の取込制御範囲から、分配Ｘ、分配Ｙのパラメータを元に各表示モジュールへ分配する制御領域を決定する。
【００２９】
図７は、映像表示コントローラの可変制御用設定パラメータの例を示す。
例１〜例３は、図５の例に対応するものであり、映像表示コントローラの映像制御範囲が同一であるが、映像信号分配部５から分配する映像信号の解像度が異なっている。
映像分配する解像度のパラメータは、分配Ｙ、分配Ｘとして設定を行い、映像表示コントローラの取込制御パラメータである取込X幅、取込Y幅と合わせて４種類のパラメータから映像信号分配部５が分配する解像度モードを判別する。
例４、例５は、図６の例に対応するものである。
例１〜例５以外については、図７とは異なるテーブルを準備し、個別のモードで代表的なものを指定して運用をしている。
【００３０】
次に、映像表示コントローラから映像表示スクリーン側へ映像データを伝送するためのフォーマットについて説明する。
例えば、映像表示コントローラの映像制御範囲が横２５６ピクセル×縦２５６ピクセルの場合、６５５３６データの伝送を行う必要があるが、この６５５３６データは映像データの表示更新周期である垂直（vertical）周期内に伝送を行う必要ある。
この垂直周期は、映像表示では１フレーム表示周期に相当する。一般的には垂直周期は６０Ｈｚや５０Ｈｚとなる。
【００３１】
図８は、可変映像伝送フォーマットの例を示す。
長距離伝送規格プロトコルでは、ヘッダデータに続いて、可変マッピングされた映像データが一元データとしてフォーマットされており、垂直周期毎にヘッダデータに引き続き映像データが伝送される。
ヘッダデータは映像表示スクリーン側で必要となる映像表示コントローラ可変制御用設定パラメータのデータとなる。
【００３２】
以上説明したように、本実施の形態による映像表示システムは、多数の発光表示素子が画素として配列された複数の映像表示モジュール８で構成される映像表示スクリーン８０を含む映像表示部と、映像ソース機器３ａあるいは３ｂから入力される映像信号に対して所望の映像処理を施して映像表示部へ映像信号を送出する映像表示コントローラ４からなる映像表示システムであって、映像表示コントローラ４は、映像表示スクリーン８０を構成する映像表示モジュール８の解像度に応じて、入力される映像信号の映像制御範囲を変化させる機能を有し、映像表示部は、映像表示コントローラ４から送出される映像信号の映像制御範囲の変化に追従し、映像表示スクリーン８０を構成する複数の映像表示モジュール８に対応させて受信した映像信号を分配する映像信号分配機能を有している。
【００３３】
また、この発明に係る映像表示方法は、多数の発光表示素子が画素として配列された複数の映像表示モジュールで構成される映像表示スクリーンを含む映像表示部と、映像ソース機器から入力される映像信号に対して所望の映像処理を施して映像表示部へ映像信号を送出する映像表示コントローラからなる映像表示システムの映像表示方法であって、映像表示スクリーを構成する映像表示モジュールの解像度に応じて、入力される前記映像信号の映像制御範囲を変化させるステップと、映像表示コントローラから送出される映像信号の映像制御範囲の変化に追従し、映像表示スクリーンを構成する複数の映像表示モジュールに対応させて受信した映像信号を分配するステップとを有している。
【００３４】
従って、本実施の形態によれば、映像表示スクリーンの多様な表示解像度の違いや表示モジュールの解像度単位の違いを吸収して、映像表示コントローラの制御範囲に無駄の無い経済的な映像表示コントローラの配置が可能となり、コスト低減を図れる。
さらに、映像制御範囲を可変化しない場合に発生する表示解像度の違う個別映像表示スクリーン向けの開発を逐一行う必要が無くなる。
また、映像ソースの解像度を越える映像表示スクリーンの制御を映像表示コントローラの無駄なく使用して実施することができる。
【００３５】
実施の形態２．
前述した実施の形態１が、映像表示コントローラ１台による映像データの可変制御であったのに対して、本実施の形態では、これを拡張し、複数の映像表示コントローラを連結動作させて、実施の形態１を超える解像度を持つ映像表示スクリーンに対応するものである。
複数の映像表示コントローラを使用しての映像データ制御においては、映像表示スクリーンの各種機能設定の切り替えを映像表示コントローラ間で同期して行う必要があるため、マスター、スレーブ制御にて行う。
１台目の映像表示コントローラをマスター（親）、これ以降の残りの映像表示コントローラをスレーブ（子）として行う。
上位オペレータから１台目のマスターへの設定のみにより、マスターから全スレーブに自動的に同期して設定が行われ、映像表示スクリーンへの映像表示の反映が行われる
【００３６】
図９は、実施の形態２における映像表示コントローラの映像取込事例を説明するための図である。
例えば、映像表示スクリーンの映像制御範囲（解像度）２０が横４０９６×縦６４ピクセルで、かつ、映像ソース解像度２１がパーソナルコンピュータのＸＧＡベース解像度の横１０２４×７６８ピクセルの条件においては、映像表示コントローラの横方向の映像制御範囲（解像度）２２が映像ソースの関係上１０２４ピクセルで限定される。
そこで、図９に示すように、実施の形態１における映像表示コントローラ（即ち、映像制御範囲を横１０２４×縦６４ピクセルとしたもの）４台を、映像ソースの垂直方向に６４ピクセルずらして連結接続して配置することにより、縦６４ピクセル、横合計４０９６ピクセルの映像制御範囲を論理的に可能とする。
【００３７】
このとき、映像ソースのコンテンツは、縦６４ピクセル毎の横４台の短冊として運用を行う必要がある。
つまり、映像ソースを正面に見て、1台目の最右端と２台目の最左端、２台目の最右端
と３台目の最左端、３台目の最右端と４台目の最左端のコンテンツが繋がっているものとしてコンテンツ作成を行う。
これにより、物理的に配置される解像度の横４０９６×縦６４ピクセルの映像表示スクリーンは、連結接続した複数の映像表示コントローラにおいて映像制御を行う。
このように、映像表示コントローラを継ぎ足していくことにより無限の解像度を有する映像表示スクリーンへの制御が可能となる。
【００３８】
以上説明したように、本実施の形態による映像表示システムは、映像表示スクリーンの解像度が、１台の映像表示コントローラによる映像制御範囲を超える場合には、複数台の映像表示コントローラを連結させて使用するので、映像表示スクリーンの解像度が大きくなっても、無駄なく最適に映像表示スクリーンへの映像制御を行うことができる。
【００３９】
実施の形態３．
前述の実施の形態２では、複数の映像表示コントローラを使用して映像表示スクリーンへの制御を行っているが、本実施の形態では、マスター映像表示コントローラやよびスレーブの映像表示コントローラの映像データ取込開始点、映像データ取込制御サイズを自動で設定するものである。
但し、自動設定は全ての映像表示コントローラで同じ取込サイズ仕様であるとする。
【００４０】
スレーブの映像表示コントローラへの映像データ取込パラメータである映像表示コント
ローラ取込開始点（開始X点、開始Y点）や、映像表示コントローラ取込制御サイズ（取込X、取込Y）の設定方法アルゴリズムについて説明する。
スレーブの映像表示コントローラには水平方向の映像データ取込開始点と垂直方向の映像データ取込パラメータを設定する必要があるが、各々のスレーブの映像表示コントローラへ取込情報パラメータを設定するのは複雑となる。
そこで、マスターの映像表示コントローラは、映像表示コントローラへ入力される映像データの解像度と、マスター映像表示コントローラ、スレーブ映像表示コントローラに予め設定される機器アドレスおよびマスターに設定される映像データ取込パラメータを基にして各スレーブの映像表示コントローラ取込開始位置を自動計算し、各映像表示コントローラが映像データのどの部分を受け持つかを自動的に決定し、取込情報パラメータを設定する。
【００４１】
次に、自動設定のアルゴリズムの例について説明する。
映像表示コントローラのマスターアドレスを０、スレーブアドレスを順次１、２、３、‥‥と、予め設定し、映像ソースの水平方向を解像度Ｘ、垂直方向を解像度Ｙとし、映像表示コントローラの映像制御範囲の水平方向を取込サイズＸ、垂直方向を取込サイズＹとする。
また、映像表示コントローラの映像取込開始点の水平方向を開始点Ｘ、垂直方向を開始点Ｙとする。
【００４２】
上記映像表示コントローラのアドレスは、電子部品であるロータリースイッチにて予め物理的に設定を行う。
例えば、ロータリースイッチには、０〜１５（１０進）の表示部があり、機械的に設定つまみを回すことにより、設定したい数値に設定することが可能である。
ロータリースイッチは、４ビット（２進）の出力端子局からオン／オフ信号を出力することにより、映像表示コントローラは１６通りの機器アドレス認識が可能となる。
スレーブコントローラの映像表示コントローラ取込開始点は、映像ソースに対して水平方向優先で映像ソースに向かって左側から右側へ自動計算を行い、水平方向にスレーブコントローラの映像制御領域を配置できない場合（即ち、映像ソース解像度を超えてしまう場合）は、垂直方向は上側から下側へ自動計算を行う。
【００４３】
水平方向の映像表示コントローラの映像取込開始点に関しては、解像度Ｘと開始点Ｘ、取込サイズＸから、以下の式に基づいて、水平方向の映像表示コントローラ数ＣＯＮｘを計算する。
ＣＯＮｘ＝（（ソース解像度Ｘ）−（Ｘ取込開始位置））÷（Ｘ取込サイズ）
（注）余りは切り捨て
そして、開始点Ｘに、計算対象となる映像表示コントローラのロータリースイッチのアドレスと取込サイズＸを掛け算した値を足すが、ロータリースイッチのアドレスがＣＯＮｘを超えた場合にはＣＯＮｘの倍数を引き算して、ＣＯＮｘ以下とした値に取込サイズＸを掛け算した値を足す。
また、各映像表示コントローラの水平方向の映像取込開始点Ｘは、以下となる。
Ｘｎ＝(開始点Ｘ)＋｛(ロータリースイッチn÷ＣＯＮｘ)の余り｝×(取込サイズＸ)｝
また、映像取込サイズは、設定された取込サイズＸと同じパラメータが設定される。
なお、上式において、“ｎ”は、設定アドレスを表している。
スレーブアドレス１の場合は“ｎ”は“１”であり、Ｘｎは、ｎ番目のスレーブコントローラの映像表示コントローラの開始点を表している。
【００４４】
例えば、ソース解像度が横１０２４ピクセル×縦７６８ピクセル、映像表示コントローラ1台の映像制御範囲が横２５６ピクセル×縦２５６ピクセルであり、マスターの映像表
示コントローラが１台とスレーブの映像表示コントローラが４台の場合を例示する。
この場合（即ち、マスターコントローラ１台とスレーブコントローラ４台接続した場合）の映像制御範囲のイメージを図１０に示す。
なお、図において、１台目の映像表示コントローラはマスターであり、２台目から４台目の映像表示コントローラはスレーブである。
【００４５】
図１０に示した例では、“ＣＯＮｘ＝（１０２４−０）÷２５６＝４”となる。
そして、各映像表示コントローラの水平方向の映像取込開始点Ｘ（Ｘ０〜Ｘ４）は、以下となる
１台目  Ｘ０＝０＋（０÷４の余り＝０）×２５６＝０
２台目  Ｘ１＝０＋（１÷４の余り＝１）×２５６＝２５６
３台目  Ｘ２＝０＋（２÷４の余り＝２）×２５６＝５１２
４台目  Ｘ３＝０＋（３÷４の余り＝３）×２５６＝７６８
５台目  Ｘ４＝０＋（４÷４の余り＝０）×２５６＝０
【００４６】
垂直方向の映像表示コントローラの映像取込開始点に関しては、映像表示コントローラのロータリースイッチのアドレスからＣＯＮｘを割り算した商が映像表示コントローラの垂直方向の段数となり、この段数に“取込サイズＹを掛け算し、開始点Ｙを足し算する。
各映像表示コントローラの垂直方向の映像取込開始点Ｙは、以下となる。
Ｙｎ＝(開始点Ｙ)＋((ロータリースイッチn÷ＣＯＮｘ)の商)×(取込サイズＹ)
【００４７】
図１０には、例えば、ソース解像度が横１０２４ピクセル×縦７６８ピクセル、映像表示コントローラ1式の映像制御領域が横２５６ピクセル×縦２５６ピクセル、マスターコ
ントローラとスレーブコントローラが４台の場合を映像制御範囲のイメージを示している。
１台目  Ｙ０＝０＋（０÷４の商＝０）×２５６＝０
２台目  Ｙ１＝０＋（１÷４の商＝０）×２５６＝０
３台目  Ｙ２＝０＋（２÷４の商＝０）×２５６＝０
４台目  Ｙ３＝０＋（３÷４の商＝０）×２５６＝０
５台目  Ｙ４＝０＋（４÷４の商＝１）×２５６＝２５６
【００４８】
以上説明したように、本実施の形態による映像表示システムは、複数台の映像表示コントローラへ入力される映像信号の映像取込開始点の設定を自動的に計算によって行うので、マスタースレーブ接続した複数の映像表示コントローラへの設定をマスターのみの設定で済ますことが可能となり、外部的に見れば一体物の映像制御コントローラで制御しているものと同等となり、映像表示コントローラの利便性が向上する。
【産業上の利用可能性】
【００４９】
本発明は、映像表示コントローラに対して映像表示スクリーンが遠く離れた大型の映像表示システムに好適であり、映像表示コントローラの映像制御範囲に無駄の無い経済的な映像表示コントローラを有する映像表示システムの実現に有用である。
【図面の簡単な説明】
【００５０】
【図１】実施の形態１による映像表示システムの全体構成を示す概念図である。
【図２】実施の形態１における映像表示コントローラの映像取込事例１を説明するための図である。
【図３】、実施の形態１における映像表示コントローラの映像取込事例２を説明するための図である。
【図４】像表示コントローラの映像制御範囲の可変制御例を示す図である。
【図５】映像表示スクリーンにおける映像分配事例を示す図である。
【図６】映像信号分配部による映像分配事例を示す図である。
【図７】映像表示コントローラの可変制御用設定パラメータの例を示す図である。
【図８】可変映像伝送フォーマットの例を示す図である。
【図９】実施の形態２における映像表示コントローラの映像取込事例を説明するための図である。
【図１０】実施の形態３による映像表示システムの特徴的な動作を説明するための図である。
【図１１】従来の映像表示装置の制御回路の構成を示すブロック図である。
【図１２】従来の他の映像表示装置の制御回路の構成を示すブロック図である。
【符号の説明】
【００５１】
３ａ、３ｂ  映像ソース機器          ４  映像表示コントローラ
５  映像信号分配部                  ７  映像表示パネル
８  映像表示モジュール            ８０  映像表示スクリーン
【図１】
2008298858.tif 000003
【図２】
2008298858.tif 000004
【図３】
2008298858.tif 000005
【図４】
2008298858.tif 000006
【図５】
2008298858.tif 000007
【図６】
2008298858.tif 000008
【図７】
2008298858.tif 000009
【図８】
2008298858.tif 000010
【図９】
2008298858.tif 000011
【図１０】
2008298858.tif 000012
【図１１】
2008298858.tif 000013
【図１２】
2008298858.tif 000014